(57)【要約】【課題】階調表現力を補償しつつ，アドレス期間を短縮することが可能なプラズマディスプレイ装置の駆動方法を提供すること。【解決手段】本発明では，１フィールドを少なくとも二つのサブフィールドグループに分割し，第１グループは時間的に連続する少なくとも二つのサブフィールドＳＦ１，ＳＦ８を含む。第１グループの第１サブフィールドＳＦ１では，選択的書き込み方式で発光セルを選択し，第２サブフィールドＳＦ８では，選択的消去方式で発光セルから非発光セルを選択する。この際，第１グループでは，第１サブフィールドＳＦ１で発光セルが選択された後，第２サブフィールドＳＦ８で非発光セルが選択されるまでのサブフィールドの和で階調を表現し，第２グループのサブフィールドでは選択的書き込み方式で発光セルを選択し，各サブフィールドの加重値の組合せで階調を表現する。【選択図】    図３
2006133738.tif 000002
【特許請求の範囲】
【請求項１】
複数の放電セルが形成されたプラズマディスプレイ装置において，１フィールドを相異なる加重値を有する複数のサブフィールドに分割して階調を表現する駆動方法において：
前記複数のサブフィールドを，時間的に連続する少なくとも二つのサブフィールドを含む第１グループ，及び第２グループを含む複数のグループに分類し，前記第１グループのサブフィールドのうち，第１サブフィールドのアドレス期間で，複数の放電セルのなかで発光セル状態に設定する放電セルを放電により選択する段階と；
前記第１サブフィールドの維持期間において，前記発光セル状態の放電セルを維持放電させる段階と；
前記第１グループのサブフィールドのうち，前記第１サブフィールドに時間的に連続する第２サブフィールドのアドレス期間で，前記発光セル状態の放電セルのなかで非発光セルに設定する放電セルを放電により選択する段階と；
前記第２サブフィールドの維持期間で，前記発光セル状態の放電セルを維持放電させる段階と；
を含むことを特徴とする，プラズマディスプレイ装置の駆動方法。
【請求項２】
前記第１サブフィールドの加重値が前記第２サブフィールドの加重値より小さいことを特徴とする，請求項１に記載のプラズマディスプレイ装置の駆動方法。
【請求項３】
前記第１サブフィールドは，前記複数のサブフィールドのなかで最小加重値を有するサブフィールドであり，
前記第２サブフィールドは，前記複数のサブフィールドのなかで最大加重値を有するサブフィールドであることを特徴とする，請求項２に記載のプラズマディスプレイ装置の駆動方法。
【請求項４】
前記第１グループは，それぞれ時間的に連続する二つのサブフィールドからなる複数の副グループを含み，
前記複数の副グループのうち第１副グループにおいて，時間的に先に位置するサブフィールドは最小加重値を有するサブフィールドであり，
前記複数の副グループのうち第２副グループにおいて，時間的に後に位置するサブフィールドは最大加重値を有するサブフィールドであることを特徴とする，請求項２に記載のプラズマディスプレイ装置の駆動方法。
【請求項５】
前記副グループがＮ個（Ｎは２以上の整数）存在する場合，
前記第１副グループにおいて，時間的に後に位置するサブフィールドは，前記複数のサブフィールドを加重値の大きさの逆順に配列した場合に前記Ｎ番目に配置されるサブフィールドであり，
前記第２副グループにおいて，時間的に先に位置するサブフィールドは，前記複数のサブフィールドを加重値の大きさの順に配列した場合に前記Ｎ番目に配置されるサブフィールドであることを特徴とする，請求項４に記載のプラズマディスプレイ装置の駆動方法。
【請求項６】
前記第２グループのサブフィールドのアドレス期間において，複数の放電セルのなかで，発光セル状態に設定する放電セルを放電により選択する段階と；
前記第２グループのサブフィールドの維持期間において，前記発光セル状態の放電セルを維持放電させる段階と；
をさらに含むことを特徴とする，請求項１〜５のいずれか一項に記載のプラズマディスプレイ装置の駆動方法。
【請求項７】
複数の行電極と，前記行電極と交差する方向に形成される複数の列電極とを備え，前記行電極と前記列電極によりそれぞれ定義される複数の放電セルが形成されたプラズマディスプレイパネルと；
前記プラズマディスプレイパネルを駆動する駆動部と；
１フィールドを複数のサブフィールドに分割して階調を表現するように，前記駆動部の駆動を制御する制御部と；
を備え，
前記制御部は，
前記複数のサブフィールドのうち少なくとも一つの第２サブフィールドにおいて，前記放電セルを発光セルに設定するため，前記第２サブフィールドに時間的に連続して先に位置する第１サブフィールドで前記放電セルを発光セル状態に設定することを特徴とする，プラズマディスプレイ装置。
【請求項８】
前記第２サブフィールドにおいては，アドレス放電により発光セル状態の放電セルが非発光セル状態に設定され，
前記第１サブフィールドにおいては，アドレス放電により非発光セル状態の放電セルが発光セル状態に設定されることを特徴とする，請求項７に記載のプラズマディスプレイ装置。
【請求項９】
前記第２サブフィールドの加重値が前記第１サブフィールドの加重値より大きいことを特徴とする，請求項７に記載のプラズマディスプレイ装置。
【請求項１０】
前記第２サブフィールドは，前記複数のサブフィールドのなかで最大加重値を有するサブフィールドであり，
前記第１サブフィールドは，前記複数のサブフィールドのなかで最小加重値を有するサブフィールドであることを特徴とする，請求項９に記載のプラズマディスプレイ装置。
【請求項１１】
前記複数のサブフィールドは，第１および第２グループを含む複数のグループに分類され，
前記第１グループは，それぞれ時間的に連続する二つのサブフィールドからなる複数の副グループを含み，
前記複数の副グループのうち第１副グループの前記第１サブフィールドは，前記複数のサブフィールドのなかで最小加重値を有するサブフィールドであり，
前記複数の副グループのうち第２副グループの前記第２サブフィールドは，前記複数のサブフィールドのなかで最大加重値を有するサブフィールドであることを特徴とする，請求項９に記載のプラズマディスプレイ装置。
【請求項１２】
前記副グループがＮ個（Ｎは２以上の整数）存在する場合，
前記第１副グループにおいて，前記第２サブフィールドは前記複数のサブフィールドを加重値の大きさの逆順に配列した場合に前記Ｎ番目に配置されるサブフィールドであり，
前記第２副グループにおいて，前記第１サブフィールドは前記複数のサブフィールドを加重値の大きさの順に配列した場合に前記Ｎ番目に配置されるサブフィールドであることを特徴とする，請求項１１に記載のプラズマディスプレイ装置。
【請求項１３】
複数の行電極と，前記行電極と交差する方向に形成される複数の列電極とを備え，前記行電極と前記列電極によりそれぞれ定義される複数の放電セルが形成されたプラズマディスプレイパネルと；
前記プラズマディスプレイパネルを駆動する駆動部と；
１フィールドを複数のサブフィールドに分割して階調を表現するように，前記駆動部の駆動を制御する制御部と；
を備え，
前記制御部は，
前記各放電セルの状態を，
前記複数のサブフィールドの第１サブフィールドで非発光セル状態，前記第１サブフィールドに時間的に連続する第２サブフィールドで非発光セル状態に設定される第１発光状態；
前記第１サブフィールドで発光セル状態，前記第２サブフィールドで発光セル状態に設定される第２発光状態；
前記第１サブフィールドで発光セル状態，前記第２サブフィールドで非発光セル状態に設定される第３発光状態；
のいずれか１つの発光状態にのみ設定することを特徴とする，プラズマディスプレイ装置。
【請求項１４】
前記第１サブフィールドの加重値が前記第２サブフィールドの加重値より小さいことを特徴とする，請求項１３に記載のプラズマディスプレイ装置。
【請求項１５】
前記第１サブフィールドは，前記複数のサブフィールドを加重値の大きさ順に配列した場合に，最小加重値を有するサブフィールド，および前記最小加重値を有するサブフィールドの直後に配置されるサブフィールドのうち少なくとも１つのサブフィールドであり，
前記第２サブフィールドは，前記複数のサブフィールドを加重値の大きさ順に配列した場合に，最大加重値を有するサブフィールド，および前記最大加重値を有するサブフィールドの直前に配置されるサブフィールドのうち少なくとも１つのサブフィールドであることを特徴とする，請求項１４に記載のプラズマディスプレイ装置。
【発明の詳細な説明】
【技術分野】
【０００１】
本発明は，プラズマディスプレイ装置およびその駆動方法に係り，より詳しくは，サブフィールド方式で階調を表現するプラズマディスプレイ装置およびその駆動方法に関するものである。
【背景技術】
【０００２】
一般に，プラズマディスプレイ装置は，気体の放電により生成されたプラズマを用いて文字または映像を表示するフラットディスプレイ装置であって，その大きさによって数十から数百万以上のピクセルがマトリックス状に配列されている。
【０００３】
このようなプラズマディスプレイ装置のパネルにおいては，１フィールド（１ＴＶフィールド）がそれぞれの加重値を有する複数のサブフィールドに分割されて駆動され，複数のサブフィールドのうち，動作が起こるサブフィールドの加重値の組合せにより階調が表示される。
【０００４】
そして，サブフィールドは，複数の放電セルのうち，発光する放電セルと発光しない放電セルを選択するためのアドレッシング動作を行うアドレス期間と，このアドレス期間で選択された放電セルにおいて，サブフィールドの加重値に対応する期間の間，維持放電により表示動作が行われる維持期間とからなる。
【０００５】
この際，各サブフィールドにおいて，全ての放電セルに対してアドレッシング動作を完了した後，全ての放電セルに対して維持放電動作を行う方法，すなわちアドレス期間と維持期間を時間的に分離する方法である。これを，一般にＡＤＳ（ａｄｄｒｅｓｓ  ｄｉｓｐｌａｙ  ｐｅｒｉｏｄ  ｓｅｐａｒａｔｉｏｎ）方法という。このようなＡＤＳ方法は容易に具現できるが，全ての放電セルに対して順次アドレッシング動作が行われるので，時間的に後にアドレッシングされる放電セル内部のプライミング粒子の不足により，アドレッシングされないことがあり得る。従って，安定したアドレス放電のため，行電極に順次印加される走査パルスの幅を伸ばすしかないので，アドレス期間が長くなる。その結果，サブフィールドの長さが長くなるため，１フィールドで使用可能なサブフィールドの数が制限される。
【０００６】
また，アドレス期間でアドレッシング動作を行う方式として，選択的書き込み方式と選択的消去方式がある。
【０００７】
選択的書き込み方式は，発光する放電セルを選択して一定の壁電圧を形成する方式であって，壁電圧を形成する時間が必要であるので，アドレッシング時間が増加する。一方，選択的消去方式は，発光しない放電セルを選択して，既に形成されている壁電圧を消去する方式であって，壁電圧を形成する時間が不要であるので，アドレッシング時間が短縮できるという利点がある。
【発明の開示】
【発明が解決しようとする課題】
【０００８】
しかしながら，選択的消去方式においては，初期の壁電荷制御が難しく，サブフィールド別の独立制御が不可能であるため，階調表現力が低下するという問題があった。
【０００９】
そこで，本発明は，上記問題に鑑みてなされたものであり，本発明の目的とするところは，階調表現力を補償しつつ，アドレス期間を短縮することが可能な，新規かつ改良されたプラズマディスプレイ装置およびその駆動方法を提供することにある。
【課題を解決するための手段】
【００１０】
上記課題を解決するために，本発明のある観点によれば，複数の放電セルが形成されたプラズマディスプレイ装置において，１フィールドを相異なる加重値を有する複数のサブフィールドに分割して階調を表現する駆動方法が提供される。このプラズマディスプレイ装置の駆動方法では，複数のサブフィールドを，第１グループ，及び第２グループを含む複数のグループに分類する。第１グループは，時間的に連続する少なくとも二つのサブフィールドを含むようにする。そして，当該駆動方法は，第１グループのサブフィールドのうち，第１サブフィールドのアドレス期間で，複数の放電セルのなかで発光セル状態に設定する放電セルを放電（書き込み放電）により選択する段階と；第１サブフィールドの維持期間において，発光セル状態の放電セルを維持放電させる段階と；第１グループのサブフィールドのうち，第１サブフィールドに時間的に連続する第２サブフィールドのアドレス期間で，発光セル状態の放電セルのなかで非発光セルに設定する放電セルを放電（消去放電）により選択する段階と；第２サブフィールドの維持期間で，発光セル状態の放電セルを維持放電させる段階と；を含むことを特徴とする。
【００１１】
また，上記第１サブフィールドの加重値が第２サブフィールドの加重値より小さいようにしてもよい。
【００１２】
また，上記第１サブフィールドは，複数のサブフィールドのなかで最小加重値を有するサブフィールドであり，第２サブフィールドは，複数のサブフィールドのなかで最大加重値を有するサブフィールドであるようにしてもよい。
【００１３】
また，上記第１グループは，それぞれ時間的に連続する二つのサブフィールドからなる複数の副グループを含み，複数の副グループのうち第１副グループにおいて，時間的に先に位置するサブフィールドは最小加重値を有するサブフィールドであり，複数の副グループのうち第２副グループにおいて，時間的に後に位置するサブフィールドは最大加重値を有するサブフィールドであるようにしてもよい。
【００１４】
また，上記副グループがＮ個（Ｎは２以上の整数）存在する場合，第１副グループにおいて，時間的に後に位置するサブフィールドは，複数のサブフィールドを加重値の大きさの逆順に配列した場合にＮ番目に配置されるサブフィールドであり，第２副グループにおいて，時間的に先に位置するサブフィールドは，複数のサブフィールドを加重値の大きさの順に配列した場合にＮ番目に配置されるサブフィールドであるようにしてもよい。
【００１５】
また，上記第２グループのサブフィールドのアドレス期間において，複数の放電セルのなかで，発光セル状態に設定する放電セルを放電により選択する段階と；第２グループのサブフィールドの維持期間において，発光セル状態の放電セルを維持放電させる段階と；をさらに含むようにしてもよい。
【００１６】
また，上記課題を解決するために，本発明の別の観点によれば，複数の行電極と，行電極と交差する方向に形成される複数の列電極とを備え，行電極と列電極によりそれぞれ定義される複数の放電セルが形成されたプラズマディスプレイパネルと；プラズマディスプレイパネルを駆動する駆動部と；１フィールドを複数のサブフィールドに分割して階調を表現するように，駆動部の駆動を制御する制御部と；を備えたプラズマディスプレイ装置が提供される。このプラズマディスプレイ装置において，制御部は，複数のサブフィールドのうち少なくとも一つの第２サブフィールドにおいて，放電セルを発光セルに設定するため，第２サブフィールドに時間的に連続して先に位置する第１サブフィールドで放電セルを発光セル状態に設定することを特徴とする。
【００１７】
また，上記第２サブフィールドにおいては，アドレス放電により発光セル状態の放電セルが非発光セル状態に設定され，第１サブフィールドにおいては，アドレス放電により非発光セル状態の放電セルが発光セル状態に設定されるようにしてもよい。
【００１８】
また，上記第２サブフィールドの加重値が第１サブフィールドの加重値より大きいようにしてもよい。
【００１９】
また，上記第２サブフィールドは，複数のサブフィールドのなかで最大加重値を有するサブフィールドであり，第１サブフィールドは，複数のサブフィールドのなかで最小加重値を有するサブフィールドであるようにしてもよい。
【００２０】
また，上記複数のサブフィールドは，第１および第２グループを含む複数のグループに分類され，第１グループは，それぞれ時間的に連続する二つのサブフィールドからなる複数の副グループを含み，複数の副グループのうち第１副グループの第１サブフィールドは，複数のサブフィールドのなかで最小加重値を有するサブフィールドであり，複数の副グループのうち第２副グループの第２サブフィールドは，複数のサブフィールドのなかで最大加重値を有するサブフィールドであるようにしてもよい。
【００２１】
また，上記副グループがＮ個（Ｎは２以上の整数）存在する場合，第１副グループにおいて，第２サブフィールドは複数のサブフィールドを加重値の大きさの逆順に配列した場合にＮ番目に配置されるサブフィールドであり，第２副グループにおいて，第１サブフィールドは複数のサブフィールドを加重値の大きさの順に配列した場合にＮ番目に配置されるサブフィールドであるようにしてもよい。
【００２２】
また，上記課題を解決するために，本発明の別の観点によれば，複数の行電極と，行電極と交差する方向に形成される複数の列電極とを備え，行電極と列電極によりそれぞれ定義される複数の放電セルが形成されたプラズマディスプレイパネルと；プラズマディスプレイパネルを駆動する駆動部と；１フィールドを複数のサブフィールドに分割して階調を表現するように，駆動部の駆動を制御する制御部と；を備えたプラズマディスプレイ装置が提供される。このプラズマディスプレイ装置において，制御部は，各放電セルの状態を，（１）複数のサブフィールドの第１サブフィールドで非発光セル状態，第１サブフィールドに時間的に連続する第２サブフィールドで非発光セル状態に設定される第１発光状態；（２）第１サブフィールドで発光セル状態，第２サブフィールドで発光セル状態に設定される第２発光状態；（３）第１サブフィールドで発光セル状態，第２サブフィールドで非発光セル状態に設定される第３発光状態；のいずれか１つの発光状態にのみ設定することを特徴とする。このため，放電セルの状態が，第１サブフィールドで非発光セル状態，第２サブフィールドで発光セル状態に設定されることはない。
【００２３】
また，上記第１サブフィールドの加重値が第２サブフィールドの加重値より小さいようにしてもよい。
【００２４】
また，上記第１サブフィールドは，複数のサブフィールドを加重値の大きさ順に配列した場合に，最小加重値を有するサブフィールド，および最小加重値を有するサブフィールドの直後に配置されるサブフィールドのうち少なくとも１つのサブフィールドであり，上記第２サブフィールドは，複数のサブフィールドを加重値の大きさ順に配列した場合に，最大加重値を有するサブフィールド，および最大加重値を有するサブフィールドの直前に配置されるサブフィールドのうち少なくとも１つのサブフィールドであるようにしてもよい。
【００２５】
このように，本発明では，１フィールドを少なくとも二つのサブフィールドグループ（第１グループ，第２グループ）に分割し，第１グループは時間的に連続する少なくとも二つのサブフィールドを含むようにする。第１グループのサブフィールドの第１サブフィールドでは選択的書き込み方式で発光セルを選択し，第１サブフィールドに時間的に連続する第２サブフィールドでは，選択的消去方式で発光セルから非発光セルを選択する。そして，第２グループのサブフィールドでは選択的書き込み方式で発光セルを選択する。この際，第１グループの第１サブフィールドで発光セルが選択された後，非発光セルが選択されるまでのサブフィールドの和で階調を表現し，第２グループのサブフィールドでは選択的書き込み方式で発光セルを選択し，各サブフィールドの加重値の組合せで階調を表現する。従って，階調表現力を補償しながらアドレス期間を短縮させることができる。
【発明の効果】
【００２６】
以上説明したように本発明によれば，最小加重値を有するサブフィールドと最大加重値を有するサブフィールドとを，時間的に連続的に配置し，最小加重値を有するサブフィールドのアドレス期間には選択的書き込み方式を使用し，最大加重値を有するサブフィールドのアドレス期間には選択的消去方式を使用する。これにより，階調表現力を補償しつつ，アドレス期間を短縮させることができるので，全体表示期間を短縮させることができる。
【発明を実施するための最良の形態】
【００２７】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００２８】
（第１の実施形態）
まず，本発明の第１の実施形態にかかるプラズマディスプレイ装置およびその駆動方法について説明する。
【００２９】
まず，本実施形態にかかるプラズマディスプレイ装置の構造について，図１を参照して詳細に説明する。図１は本実施形態にかかるプラズマディスプレイ装置を示す図である。
【００３０】
図１に示すように，本発明の実施形態にかかるプラズマディスプレイ装置は，プラズマディスプレイパネル１００，制御部２００，アドレス電極駆動部３００，維持電極駆動部４００，および走査電極駆動部５００を含む。
【００３１】
プラズマディスプレイパネル１００は，列方向に伸びている複数のアドレス電極（以下，“Ａ電極”という）Ａ１〜Ａｍと，行方向に対をなして伸びている複数の維持電極（以下，“Ｘ電極”という）Ｘ１〜Ｘｎおよび走査電極（以下，“Ｙ電極”という）Ｙ１〜Ｙｎを含む。Ｘ電極Ｘ１〜ＸｎはＹ電極Ｙ１〜Ｙｎにそれぞれ対応して形成されている。Ｙ電極Ｙ１〜ＹｎとＡ電極Ａ１〜Ａｍ，そしてＸ電極Ｘ１〜ＸｎとＡ電極Ａ１〜Ａｍがそれぞれ直交するように配置される。この際，Ａ電極Ａ１〜ＡｍとＸ電極Ｘ１〜ＸｎおよびＹ電極Ｙ１〜Ｙｎの交差部にある放電空間が放電セルを形成する。このようなプラズマディスプレイパネル１００の構造は一例であるだけで，以下に説明する駆動波形が適用できるほかの構造のパネルも本発明に適用可能である。この際，行方向に伸びている一対のＸ電極およびＹ電極を行電極と定義し，列方向に伸びているＡ電極を列電極と定義することができる。
【００３２】
制御部２００は，外部から映像信号を受信し，Ａ電極駆動制御信号，Ｘ電極駆動制御信号，およびＹ電極駆動制御信号を出力し，１フィールドを，それぞれの加重値を有する複数のサブフィールドに分割して駆動する。
【００３３】
アドレス駆動部３００は，制御部２００からＡ電極駆動制御信号を受信し，表示しようとする放電セルを選択するための表示データ信号をそれぞれのＡ電極に印加する。
【００３４】
維持電極駆動部４００は，制御部２００からＸ電極駆動制御信号を受信し，Ｘ電極に駆動電圧を印加する。
【００３５】
走査電極駆動部５００は，制御部２００からＹ電極駆動制御信号を受信し，Ｙ電極に駆動電圧を印加する。
【００３６】
次に，図２〜図５を参照して，本発明の第１実施形態にかかるプラズマディスプレイ装置の駆動方法について詳細に説明する。
【００３７】
図２は，本発明の第１実施形態にかかるプラズマディスプレイ装置の駆動方法を概略的に示す図であり，図３は，本発明の第１実施形態にかかるプラズマディスプレイ装置の駆動方法を具体的に示す図であり，図４は，本発明の第１実施形態にかかる駆動方法において，階調表現方法を示す図である。以下では，１フィールドが例えば８つのサブフィールドＳＦ１〜ＳＦ８からなったものの例を示し，図３および図４は第１および第８サブフィールドＳＦ１，ＳＦ８のみを示す。
【００３８】
図２に示すように，１フィールドは複数のサブフィールドＳＦ１〜ＳＦ８からなり，各サブフィールドＳＦ２〜７，ＳＦ１，ＳＦ８は，それぞれ１，２，４，８，１６，３２，６４，１２８の加重値を有する。なお，本実施形態において，第１サブフィールドＳＦ１は，本発明の「第１サブフィールド」の一例に該当し，第８サブフィールドＳＦ８は，本発明の「第２サブフィールド」の一例に該当する。よって，第１サブフィールドＳＦ１，は，第８サブフィールドＳＦ８と時間的に連続して，その直前に配置されている。
【００３９】
本実施形態において，第１〜第７サブフィールドＳＦ１〜ＳＦ７は，リセット期間，アドレス期間および維持期間からなり，この第１〜第７サブフィールドＳＦ１〜ＳＦ７のアドレス期間は，選択的書き込み方式（ＷＡ）が採用される。ここで，リセット期間は，放電セルの状態を発光しない放電セルに初期化する期間である。そして，最高加重値を有する第８サブフィールドＳＦ８は，アドレス期間および維持期間からなり，この第８サブフィールドＳＦ８のアドレス期間は，選択的消去方式（ＥＡ）が採用される。
【００４０】
前述したように，アドレス期間で，発光する放電セルと発光しない放電セルを選択するための方式としては，選択的書き込み方式と選択的消去方式がある。選択的書き込み方式は，発光する放電セルを選択して一定の壁電圧を形成する方式であり，一方，選択的消去方式は，発光しない放電セルを選択して，既に形成されている壁電圧を消去する方式である。以下では，アドレス期間において，選択的書き込み方式または選択的消去方式により，発光する放電セルとして選択された状態を“発光セル状態”といい，選択的書き込み方式または選択的消去方式により，発光しない放電セルとして選択された状態を“非発光状態”という。図２においては，選択的書き込み方式を“ＷＡ（Ｗｒｉｔｅ  Ａｄｄｒｅｓｓ）”で示し，選択的消去方式を“ＥＡ（Ｅｒａｓｅ  Ａｄｄｒｅｓｓ）”で示す。
【００４１】
この際，第８サブフィールドＳＦ８は，直前サブフィールド（図２の例では，サブフィールドＳＦ１）で発光セル状態となっている放電セルを非発光セル状態に設定することはできるが，直前サブフィールドで非発光セル状態となっている放電セルを発光セル状態に設定することはできない。すなわち，直前サブフィールドで放電セルが発光せずに，第８サブフィールドＳＦ８のみで放電セルが発光することはできない。
【００４２】
従って，本実施形態では，１フィールドで最低加重値を有するサブフィールドＳＦ１と最高加重値を有するサブフィールドＳＦ８が隣接するように組み合わせて配列し，低い加重値を有するサブフィールドＳＦ１では選択的書き込み方式（ＷＡ）を使用し，高い加重値を有するサブフィールドＳＦ８では選択的消去方式（ＥＡ）を使用する。
【００４３】
具体的に，図３に示すように，第１サブフィールドＳＦ１のリセット期間Ｒ１では，全ての放電セルを初期化して非発光セル状態に設定する。
【００４４】
ついで，第１サブフィールドＳＦ１のアドレス期間ＷＡ１では，ターンオンされる放電セルに対し，選択的に書き込み放電により，放電セルのなかで発光セルを選択し，維持期間Ｓ１では，発光セル状態の放電セルを維持放電させる。
【００４５】
ついで，第８サブフィールドＳＦ８のアドレス期間ＥＡ８では，ターンオフされる放電セルに対し，選択的に消去放電により，第１サブフィールドＳＦ１で発光セル状態に設定された放電セルのなかで非発光セルが選択される。そして，維持期間Ｓ８では，発光セル状態の放電セル（すなわち，サブフィールドＳＦ１で発光セルとして選択された放電セルのなかで消去放電が起こらなかった放電セル）に対して維持放電が行われる。
【００４６】
そして，残りのサブフィールドＳＦ２〜ＳＦ７においては，第１サブフィールドＳＦ１でと同様に，リセット期間，アドレス期間および維持期間の動作を行う。
【００４７】
ついで，図４を参照して，図２の駆動方法で階調を表現する方法について説明する。図４において，“ＯＮ”は選択的書き込み方式のサブフィールドＳＦ１で発光セルであることを示し，選択的消去方式のサブフィールドＳＦ８で非発光セル状態を示す。
【００４８】
まず，第１サブフィールドＳＦ１のアドレス期間で非発光セル状態（ＯＦＦ）となると，維持期間で維持放電が起こらなく，第１サブフィールドＳＦ１のつぎの第８サブフィールドＳＦ８でも維持放電が起こらないので，０階調が表現される。
【００４９】
そして，第１サブフィールドＳＦ１のアドレス期間で書き込み放電が起こって発光セル状態（ＯＮ）となると，維持期間で維持放電が起こるので，１階調を表現することができる。ついで，第８サブフィールドＳＦ８で消去放電が起こって非発光セル状態（ＯＮ）となると，第８サブフィールドＳＦ８では維持放電が起こらなくて最終階調となる。また，第８サブフィールドＳＦ８で消去放電が起こらないと，続けて発光セル状態（ＯＮ）であるので，第８サブフィールドＳＦ８の維持期間でも維持放電が起こって１２９階調が表現される。
【００５０】
そして，第２〜第７サブフィールドＳＦ２〜ＳＦ７では書き込み放電が起こって，発光セル状態となるサブフィールドの加重値の組合せにより階調が表示される。最終に，１フレームでの全体階調は，第１および第８サブフィールドＳＦ１，ＳＦ８による階調と，第２〜第７サブフィールドＳＦ２〜ＳＦ７による階調の和で表現される。
【００５１】
たとえば，第１および第３サブフィールドＳＦ１，ＳＦ３で書き込み放電が起こって発光セル状態となり，第８サブフィールドＳＦ８で消去放電が起こって非発光セル状態となると，５（１＋４）階調が表現される。ところで，第８サブフィールドＳＦ８で消去放電が起こって発光セル状態となると，１３３（１＋４＋１２８）階調が表現される。
【００５２】
一方，選択的消去方式は，前述したように，既に壁電荷が形成された状態で発光しない放電セルを選択して壁電荷を消去させる方式であるので，選択的消去方式で駆動する第８サブフィールドＳＦ８は単独で駆動できなくて１２８階調を表現することができない。ところで，実際の階調表現において，高輝度領域の場合，人間の感覚器官が認識できなくて高階調での小さな差は無視できるので，１２８階調は１２９階調により十分に補償することができる。
【００５３】
つぎに，本発明の第１実施形態にかかるプラズマディスプレイパネルの駆動方法に使用される駆動波形について図５を参照して詳細に説明する。
【００５４】
図５は本発明の第１実施形態にかかるプラズマディスプレイ装置の駆動波形図である。以下では，便宜上一つのセルを形成するＹ電極，Ｘ電極およびＡ電極に印加される駆動波形のみについて説明する。そして，図５に示す駆動波形はプラズマディスプレイ装置の一般的な駆動波形であるので，動作についての詳細な説明は省略する。
【００５５】
図５に示すように，まず，第１サブフィールドのリセット期間でＸ電極を接地電圧（０Ｖ）でバイアスさせた状態で，Ｙ電極の電圧がＶｓ電圧からＶｓｅｔ電圧まで漸進的に増加してリセット放電が起こり，このリセット放電により，放電セルに壁電荷が形成される。ついで，Ｘ電極を正の電圧（Ｖｅ）でバイアスさせた状態，Ｙ電極の電圧がＶｓ電圧から接地電圧（０Ｖ）まで漸進的に減少する。すると，放電セルから壁電荷が消去され，放電セルが初期化される。
【００５６】
ついで，アドレス期間では，Ｘ電極を正の電圧（Ｖｅ）でバイアスさせた状態で，Ｙ電極に順次走査パルス（図５においては，接地電圧）が印加され，発光する放電セルのＡ電極に正のアドレス電圧（Ｖａ）が印加される。ここで，アドレス電圧（Ｖａ）が印加される放電セルは，走査パルスが印加されたＹ電極により形成される放電セルである。すると，走査パルスの電圧とアドレス電圧が印加された放電セルで書き込み放電が起こり，Ｘ電極とＹ電極に壁電圧が形成される。
【００５７】
ついで，維持期間で，Ｙ電極に維持放電パルスのＶａ電圧が印加され，発光セル状態の放電セルで放電が起こる。図４には，第１サブフィールドＳＦ１で一つの維持放電パルスが印加されるものを示す。
【００５８】
ついで，第８サブフィールドのアドレス期間では，Ｘ電極を接地電圧（０Ｖ）でバイアスさせた状態で，Ｙ電極に順次負の電圧（Ｖｓｃｌ）の走査パルスが印加され，非発光セル状態に設定する放電セルのＡ電極に正のアドレス電圧（Ｖａ）が印加される。この際，走査パルスの幅を細幅にすることで，放電により壁電荷が形成されずに消去されるようにする。すると，Ｙ電極に印加された走査パルスの電圧とアドレス電圧が印加された放電セルで消去放電が起こり，Ｘ電極とＹ電極に形成された壁電圧が消去されて非発光状態となる。
【００５９】
ついで，第８サブフィールドの維持期間では，Ｘ電極に維持放電パルスのＶａ電圧が印加されて放電セルで放電が起こり，そしてＹ電極に維持放電パルスのＶｓ電圧が印加されて発光セル状態の放電セルで放電が起こる。この際，第１および第８サブフィールドの加重値の比を１：１２８と仮定したので，第８サブフィールドの維持期間では１２８個の維持放電パルスが印加される。
【００６０】
このように，本発明の第１実施形態においては，選択的消去方式のアドレス期間で壁電荷が消去されるように，走査パルスの幅をさらに短くすることができるので，アドレス期間を短縮させることができる。
【００６１】
そして，本発明の第１実施形態においては，一つのサブフィールドＳＦ８のみで選択的消去方式を使用したが，一つ以上のサブフィールドでも選択的消去方式を使用することができる。以下では，このような実施形態について，図６〜図７ｂを参照して詳細に説明する。
【００６２】
図６は本発明の第２実施形態にかかるプラズマディスプレイ装置の駆動方法を概略的に示す図であり，図７ａおよび図７ｂは，本発明の第２実施形態にかかる駆動方法において，階調表現方法を示す図である。
【００６３】
図６に示すように，複数のサブフィールドＳＦ１〜ＳＦ８を２グループ（第１グループと第２グループ）にグループ化する。
【００６４】
第１グループのサブフィールドＳＦ１，ＳＦ７，ＳＦ２，ＳＦ８は，複数の副グループからなり，各副グループは時間的に連続する二つのサブフィールドからなる。複数の副グループのうち，第１副グループは，最小加重値を有するサブフィールドＳＦ１と，最大加重値より１段階だけ低い加重値を有するサブフィールドＳＦ７とからなり，第２副グループは，最小加重値より１段階だけ高い加重値を有するサブフィールドＳＦ２と，最大加重値を有するサブフィールドＳＦ８とからなる。そして，第２グループのサブフィールドは，残りのサブフィールドＳＦ３〜ＳＦ６からなる。
【００６５】
なお，本実施形態において，第１及び第２サブフィールドＳＦ１，ＳＦ２は，本発明の「第１サブフィールド」の一例に該当し，第７及び第８サブフィールドＳＦ７，ＳＦ８は，本発明の「第２サブフィールド」の一例に該当する。よって，第１及び第２サブフィールドＳＦ１，ＳＦ２は，それぞれ，第７及び第８サブフィールドＳＦ７，ＳＦ８と時間的に連続して，その直前に配置されている。
【００６６】
この際，第１および第２副グループの第７および第８サブフィールドＳＦ７，ＳＦ８のアドレス期間では選択的消去方式（ＥＡ）を使用し，残りのサブフィールドＳＦ１〜ＳＦ６のアドレス期間では選択的書き込み方式（ＷＡ）を使用する。
【００６７】
従って，第２グループのサブフィールドＳＦ３〜ＳＦ６では，これらの加重値の組合せにより階調が表現され，第１副グループのサブフィールドＳＦ１，ＳＦ７は，図７ａに示すように，１階調と６５階調を表現することができる。また，第２副グループのサブフィールドＳＦ２，ＳＦ８は，図７ｂに示すように，２階調と１３０階調を表現することができる。ここで，第１および第２副グループのサブフィールドＳＦ１，ＳＦ２，ＳＦ７，ＳＦ８は，第１実施形態で説明したサブフィールドＳＦ１，ＳＦ８と同一形態に階調を表現する。
【００６８】
そして，図６とは異なり，第１副グループが第１および第８サブフィールドＳＦ１，ＳＦ８からなり，第２副グループが第２および第７サブフィールドＳＦ２，ＳＦ７からなると，第１副グループでは１階調および１２９階調が表現され，第２副グループでは２階調および６６階調が表現できる。この際，１２８階調は１２９階調で補償し，６４階調は６６階調で補償することができる。反面，本発明の第２実施形態にかかると，１２８階調は１３０階調で補償し，６４階調は６５階調で補償することができる。ところで，前述したように，人間の感覚器官の特性上，高階調よりも低階調での差をよりよく認識できる。従って，低階調で実際に表現すべき階調との差を小さくすることが，階調をより効率よく表現することができるので，第２実施形態のようにサブフィールドを配列することが好ましい。
【００６９】
つぎに，本発明の第１および第２実施形態にかかる駆動方法の効果について，図８ａ〜図８ｃを参照して詳細に説明する。
【００７０】
図８ａは１フィールドで全て選択的書き込み方式を使用した場合の全体表示時間を示す図であり，図８ｂは本発明の第１実施形態にかかる駆動方法を使用した場合の全体表示時間を示す図であり，図８ｃは本発明の第２実施形態にかかる駆動方法を使用した場合の全体表示時間を示す図である。
【００７１】
ここで，全体表示時間（Ｔｏｔａｌ  Ｔｉｍｅ）は，全体サブフィールドＳＦ１〜ＳＦ８からリセット期間，アドレス期間，および維持期間の和を意味する。そして，図８ａ〜図８ｃにおいては，行ラインが７６８本であるＨＤ（Ｈｉｇｈ  Ｄｅｆｉｎｉｔｉｏｎ）級のシングル駆動を仮定し，第１サブフィールドＳＦ１の維持放電パルスの数を四つに設定した。また，第１〜第８サブフィールドＳＦ１〜ＳＦ８の加重値をそれぞれ１，２，４，８，１６，３２，６４および１２８と仮定した。また，リセット期間（Ｒ）は３００μｓ，選択的書き込み方式（Ｗ，Ａ）による走査パルス印加時間（ＷＡ）は１．６５μｓ，選択的消去方式（Ｅ，Ａ）による走査パルス印加時間（ＥＡ）は１μｓ，一つの維持放電パルス印加時間（Ｄ）は４．５μｓとした。
【００７２】
図８ａ〜図８ｃに示すように，１フィールドで選択的消去方式（Ｅ，Ａ）を使用するサブフィールドが多いほど，全体表示時間が短縮されることが分かる。しかし，１フィールドで選択的消去方式（Ｅ，Ａ）を使用するサブフィールドが多くなると，全体表示時間を短縮させることはできるが，階調表現力を低下させるため，本発明の第２実施形態のように，１フィールドで選択的消去方式（Ｅ，Ａ）を使用するサブフィールドの数を適宜調整して使用する。
【００７３】
具体的に説明すると，図８ａに示すように，全体表示時間が１７．１２８ｍｓであり，ＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）の場合，１６．６７ｍｓ（１／６０Ｈｚ）の周期を有するので，１フィールドで８つのサブフィールドＳＦ１〜ＳＦ８を全て使用することができない。従って，１フィールドで全てのサブフィールドＳＦ１〜ＳＦ８が選択的書き込み方式を使用すると，サブフィールドの数を制限しなければならない。これに対し，本発明の第１および第２の実施形態では，図８ｂおよび図８ｃに示すように，全体表示時間がそれぞれ１６．３２８ｍｓおよび１５．５２９ｍｓであって，１フィールドで６つのサブフィールドＳＦ１〜ＳＦ８を全て使用することができる。
【００７４】
以上のように，上記本実施形態では，１フィールドを，相異なる加重値を有する複数のサブフィールドに分割し，これら各サブフィールドが，二つのサブフィールドグループ（第１グループと第２グループ）に分類されている。そして，第１グループは，時間的に連続する少なくとも二つのサブフィールドを一組若しくは複数組含んでいる。第１グループのサブフィールドの第１サブフィールドでは，選択的書き込み方式で発光セルを選択し，この第１サブフィールド（上記第２の実施形態では，ＳＦ１，ＳＦ２等）に時間的に連続する第２サブフィールド（上記第２の実施形態では，ＳＦ７，ＳＦ８等）では，選択的消去方式で発光セルから非発光セルを選択する。そして，第２グループのサブフィールドでは選択的書き込み方式で発光セルを選択する。この際，第１グループでは，第１サブフィールドで発光セルが選択された後，第２サブフィールドで非発光セルが選択されるまでのサブフィールドの和で階調を表現する。一方，第２グループのサブフィールドでは選択的書き込み方式で発光セルを選択し，各サブフィールドの加重値の組合せで階調を表現する。
【００７５】
上述したように，選択的消去方式は，発光しない放電セルを選択して，既に形成されている壁電圧を消去する方式であり，壁電圧を形成する時間が不要であるので，アドレッシング時間を短縮できる。よって，かかる選択的消去方式と選択的書き込み方式とを上記のように各サブフィールドで使い分けることによって，階調表現力を補償しつつ，アドレス期間を短縮することができる。
【００７６】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００７７】
本発明は，階調表現力を補償しつつ，アドレス期間を短縮させることができるプラズマディスプレイ装置およびその駆動方法に適用可能である。
【図面の簡単な説明】
【００７８】
【図１】本発明の第１および第２の実施形態にかかるプラズマディスプレイ装置を示す図である。
【図２】本発明の第１実施形態にかかるプラズマディスプレイ装置の駆動方法を概略的に示す説明図である。
【図３】本発明の第１実施形態にかかるプラズマディスプレイ装置の駆動方法を具体的に示す説明図である。
【図４】本発明の第１実施形態にかかる駆動方法において，階調表現方法を示す説明図である。
【図５】本発明の第１実施形態にかかるプラズマディスプレイ装置の駆動波形図である。
【図６】本発明の第２実施形態にかかるプラズマディスプレイ装置の駆動方法を概略的に示す説明図である。
【図７ａ】本発明の第２実施形態にかかる駆動方法において，階調表現方法を示す説明図である。
【図７ｂ】本発明の第２実施形態にかかる駆動方法において，階調表現方法を示す説明図である。
【図８ａ】一般の駆動方法を使用した場合の全体表示時間を示す説明図である。
【図８ｂ】本発明の第１実施形態にかかる駆動方法を使用した場合の全体表示時間を示す説明図である。
【図８ｃ】本発明の第２実施形態にかかる駆動方法を使用した場合の全体表示時間を示す説明図である。
【符号の説明】
【００７９】
１００    プラズマディスプレイパネル
２００    制御部
３００    アドレス電極駆動部
４００    維持電極駆動部
５００    走査電極駆動部
Ａ１〜Ａｍ    Ａ電極（列方向のアドレス電極）
Ｘ１〜Ｘｎ    Ｘ電極（行方向の維持電極）
Ｙ１〜Ｙｎ    Ｙ電極（行方向の走査電極）
ＳＦ１〜ＳＦ８    サブフィールド
【図１】
2006133738.tif 000003
【図２】
2006133738.tif 000004
【図３】
2006133738.tif 000005
【図４】
2006133738.tif 000006
【図５】
2006133738.tif 000007
【図６】
2006133738.tif 000008
【図７ａ】
2006133738.tif 000009
【図７ｂ】
2006133738.tif 000010
【図８ａ】
2006133738.tif 000011
【図８ｂ】
2006133738.tif 000012
【図８ｃ】
2006133738.tif 000013